(57)【要約】【課題】塵埃の回収率を向上させる。【解決手段】空気調和機は、フィルタ２１と、フィルタ２１を移動させるフィルタ駆動手段と、フィルタに付着した塵埃を除去するブラシ４１と、ブラシ４１を回転駆動するブラシ駆動手段とを備えており、フィルタ２１が移動しているときにブラシ４１によって塵埃が除去される。フィルタ駆動手段及びブラシ駆動手段は、フィルタ２１が所定距離だけ移動するときのブラシ４１の回転量が、所定湿度以上の場合において所定湿度未満の場合より多くなるように制御される。【選択図】図２
2013137129.tif 000002
【特許請求の範囲】
【請求項１】
フィルタと、
前記フィルタを移動させるフィルタ駆動手段と、
前記フィルタに付着した塵埃を除去するブラシと、
前記ブラシを回転駆動するブラシ駆動手段とを備え、
前記フィルタが所定距離だけ移動するときに前記ブラシによって塵埃が除去されると共に、前記フィルタが所定距離だけ移動するときの前記ブラシの回転量が、所定湿度未満の場合において所定湿度以上の場合より少なくなるように、前記フィルタ駆動手段及び前記ブラシ駆動手段が制御されることを特徴とする空気調和機。
【請求項２】
所定湿度以上の場合には、前記ブラシが回転した状態で前記フィルタを移動させると共に、
所定湿度未満の場合には、前記ブラシが回転しない状態で前記フィルタを移動させるように、前記フィルタ駆動手段及び前記ブラシ駆動手段が制御されることを特徴とする請求項１に記載の空気調和機。
【請求項３】
前記フィルタが複数の領域ごとに間欠的に移動すると共に、前記ブラシが前記フィルタの停止時に回転して前記領域ごとに塵埃を除去するものであって、
前記領域の移動方向長さが、所定湿度以上の場合において所定湿度未満の場合より短くなるように、前記フィルタ駆動手段及び前記ブラシ駆動手段が制御されることを特徴とする請求項１に記載の空気調和機。
【請求項４】
湿度を検出する湿度検出手段を備え、
前記フィルタ駆動手段及び前記ブラシ駆動手段が、前記湿度検出手段で検出された湿度に基づいて制御されることを特徴とする請求項１〜３のいずれかに記載の空気調和機。
【請求項５】
温度を検出する温度検出手段を備え、
前記フィルタ駆動手段及び前記ブラシ駆動手段が、前記温度検出手段で検出された温度に基づいて制御されることを特徴とする請求項１〜３のいずれかに記載の空気調和機。
【請求項６】
現在の日付を記憶する記憶手段を備え、
前記フィルタ駆動手段及び前記ブラシ駆動手段が、前記記憶手段で記憶された日付に基づいて制御されることを特徴とする請求項１〜３のいずれかに記載の空気調和機。
【請求項７】
前記フィルタに付着した塵埃量を検出する塵埃量検出手段を備え、
前記フィルタ駆動手段及び前記ブラシ駆動手段が、前記塵埃量検出手段で検出された塵埃量に基づいて制御されることを特徴とする請求項１〜６のいずれかに記載の空気調和機。
【請求項８】
前記フィルタの移動が開始される前に、前記フィルタに対して加湿空気を吹き付ける加湿手段を備えることを特徴とする特徴とする請求項１〜７のいずれかに記載の空気調和機。
【請求項９】
上部に吸込口を有し、下部に吹出口を有するケーシングと、
前記吹出口から吹き出される加湿空気を生成する加湿手段とを備え、
前記吹出口には、吹き出される空気の風向を上下方向に変更する風向変更フラップが設けられており、
前記フィルタの移動が開始される前に、前記風向変更フラップが、空調運転時の可動範囲の上端近くに配置されることを特徴とする請求項１〜８のいずれかに記載の空気調和機。
【発明の詳細な説明】
【技術分野】
【０００１】
本発明は、フィルタに付着した塵埃を除去する塵埃除去手段を備えた空気調和機に関するものである。
【背景技術】
【０００２】
従来から、空気調和機として、空気中に含まれる塵埃を捕捉するフィルタと、フィルタに付着した塵埃を除去する塵埃除去手段とを備えたものが知られている。例えば特許文献１の室内機では、塵埃除去手段は、フィルタに接触する回転可能なブラシと、このブラシに接触する櫛部材を有している。また、フィルタは移動可能に構成されており、フィルタ掃除運転時には、フィルタを移動させることで、フィルタに付着した塵埃がブラシに掻き取られる。また、ブラシを回転させることで、ブラシに付着した塵埃が櫛部材によって取り除かれる。
【先行技術文献】
【特許文献】
【０００３】
【特許文献１】特開２００８−１４５０７８号公報
【発明の概要】
【発明が解決しようとする課題】
【０００４】
しかしながら、室内の湿度が低い場合、塵埃は水分含有量が少なく軽いため、ブラシに付着した塵埃を取り除くときに、塵埃が飛び散りやすくなる。そのため、塵埃の回収率が低下するという問題があった。
【０００５】
そこで、本発明の目的は、塵埃の回収率を向上させることができる空気調和機を提供することである。
【課題を解決するための手段】
【０００６】
上記課題を解決するために、第１の発明に係る空気調和機は、フィルタと、前記フィルタを移動させるフィルタ駆動手段と、前記フィルタに付着した塵埃を除去するブラシと、前記ブラシを回転駆動するブラシ駆動手段とを備え、前記フィルタが所定距離だけ移動するときに前記ブラシによって塵埃が除去されると共に、前記フィルタが所定距離だけ移動するときの前記ブラシの回転量が、所定湿度未満の場合において所定湿度以上の場合より少なくなるように、前記フィルタ駆動手段及び前記ブラシ駆動手段が制御されることを特徴とする。
【０００７】
この空気調和機では、湿度が低い場合には、フィルタが所定距離だけ移動するときのブラシの回転量を少なくするため、ブラシに付着する塵埃量が多くなって、塵埃がまとまりやすくなる。そのため、ブラシに付着した塵埃を除去する際に、塵埃が飛び散るのを抑制できる。したがって、塵埃の回収率を向上させることができる。
【０００８】
第２の発明に係る空気調和機は、第１の発明において、所定湿度以上の場合には、前記ブラシが回転した状態で前記フィルタを移動させると共に、所定湿度未満の場合には、前記ブラシが回転しない状態で前記フィルタを移動させるように、前記フィルタ駆動手段及び前記ブラシ駆動手段が制御されることを特徴とする。
【０００９】
この空気調和機では、湿度が高い場合には、ブラシを回転させつつフィルタを移動させて、湿度が低い場合には、ブラシの停止時にフィルタを移動させることで、フィルタが所定距離だけ移動するときのブラシの回転量を、湿度が高い場合に湿度が低い場合よりも多くできる。
【００１０】
第３の発明に係る空気調和機は、第１の発明において、前記フィルタが複数の領域ごとに間欠的に移動すると共に、前記ブラシが前記フィルタの停止時に回転して前記領域ごとに塵埃を除去するものであって、前記領域の移動方向長さが、所定湿度以上の場合において所定湿度未満の場合より短くなるように、前記フィルタ駆動手段及び前記ブラシ駆動手段が制御されることを特徴とする。
【００１１】
この空気調和機では、１回のフィルタの移動によって塵埃が除去される領域の長さを、湿度が高い場合に湿度が低い場合よりも短くすることで、フィルタが所定距離だけ移動するときのブラシの回転量を、湿度が高い場合に湿度が低い場合よりも多くできる。
【００１２】
第４の発明に係る空気調和機は、第１〜第３の発明のいずれかにおいて、湿度を検出する湿度検出手段を備え、前記フィルタ駆動手段及び前記ブラシ駆動手段が、前記湿度検出手段で検出された湿度に基づいて制御されることを特徴とする。
【００１３】
この空気調和機では、湿度検出手段によって検出される湿度に基づいて制御を行うため、湿度が高い場合におけるフィルタが所定距離だけ移動するときのブラシの回転量を、湿度が低い場合よりも確実に多くできる。
【００１４】
第５の発明に係る空気調和機は、第１〜第３の発明のいずれかにおいて、温度を検出する温度検出手段を備え、前記フィルタ駆動手段及び前記ブラシ駆動手段が、前記温度検出手段で検出された温度に基づいて制御されることを特徴とする。
【００１５】
この空気調和機では、湿度検出手段を備えていなくても、湿度は温度と対応するので、温度検出手段で検出された温度に基づいてフィルタ駆動手段及びブラシ駆動手段を制御することによって、湿度に応じた制御ができる。
【００１６】
第６の発明に係る空気調和機は、第１〜第３の発明のいずれかにおいて、現在の日付を記憶する記憶手段を備え、前記フィルタ駆動手段及び前記ブラシ駆動手段が、前記記憶手段で記憶された日付に基づいて制御されることを特徴とする。
【００１７】
この空気調和機では、湿度検出手段を備えていなくても、湿度は日付と対応するので、記憶手段に記憶された日付に基づいてフィルタ駆動手段及びブラシ駆動手段を制御することによって、湿度に応じた制御ができる。
【００１８】
第７の発明に係る空気調和機は、第１〜第６の発明のいずれかにおいて、前記フィルタに付着した塵埃量を検出する塵埃量検出手段を備え、前記フィルタ駆動手段及び前記ブラシ駆動手段が、前記塵埃量検出手段で検出された塵埃量に基づいて制御されることを特徴とする。
【００１９】
この空気調和機では、湿度検出手段を備えていなくても、湿度はフィルタに付着する塵埃量と対応するので、フィルタに付着した塵埃量に基づいてフィルタ駆動手段及びブラシ駆動手段を制御することによって、湿度に応じた制御ができる。
また、湿度検出手段を備える場合には、検出された湿度と塵埃量とに基づいて、フィルタが所定距離だけ移動するときのブラシの回転量を制御することで、ブラシに付着する塵埃量が多くなり過ぎるのを防止しつつ、塵埃の飛散を抑制できる。
【００２０】
第８の発明に係る空気調和機は、第１〜第７の発明のいずれかにおいて、前記フィルタの移動が開始される前に、前記フィルタに対して加湿空気を吹き付ける加湿手段を備えることを特徴とする特徴とする。
【００２１】
この空気調和機では、フィルタの移動を開始する前に、フィルタに対して加湿空気を吹き付けるため、フィルタに付着した塵埃がまとまりやすくなり、フィルタから塵埃を除去する際、および、ブラシから塵埃を除去する際に、塵埃が飛び散るのを抑制できる。
【００２２】
第９の発明に係る空気調和機は、第１〜第８の発明のいずれかにおいて、上部に吸込口を有し、下部に吹出口を有するケーシングと、前記吹出口から吹き出される加湿空気を生成する加湿手段とを備え、前記吹出口には、吹き出される空気の風向を上下方向に変更する風向変更フラップが設けられており、前記フィルタの移動が開始される前に、前記風向変更フラップが、空調運転時の可動範囲の上端近くに配置されると共に、前記加湿手段によって生成された加湿空気が前記吹出口から吹き出されることを特徴とする。
【００２３】
この空気調和機では、加湿手段からケーシング内に放出された加湿空気は、風向変更フラップによってケーシングの下部の吹出口から上向きに吹き出された後、ケーシングの上部の吸込口からケーシング内に吸い込まれる。したがって、フィルタの移動を開始する前に、吸込口から吸い込まれた加湿空気をフィルタに対して吹き付けることができるため、フィルタに付着した塵埃がまとまりやすくなり、フィルタから塵埃を除去する際、および、ブラシから塵埃を除去する際に、塵埃が飛び散るのを抑制できる。
【発明の効果】
【００２４】
以上の説明に述べたように、本発明によれば、以下の効果が得られる。
【００２５】
第１の発明では、湿度が低い場合には、フィルタが所定距離だけ移動するときのブラシの回転量を少なくするため、ブラシに付着する塵埃量が多くなって、塵埃がまとまりやすくなる。そのため、ブラシに付着した塵埃を除去する際に、塵埃が飛び散るのを抑制できる。したがって、塵埃の回収率を向上させることができる。
【００２６】
第２の発明では、湿度が高い場合には、ブラシを回転させつつフィルタを移動させて、湿度が低い場合には、ブラシの停止時にフィルタを移動させることで、フィルタが所定距離だけ移動するときのブラシの回転量を、湿度が高い場合に湿度が低い場合よりも多くできる。
【００２７】
第３の発明では、１回のフィルタの移動によって塵埃が除去される領域の長さを、湿度が高い場合に湿度が低い場合よりも短くすることで、フィルタが所定距離だけ移動するときのブラシの回転量を、湿度が高い場合に湿度が低い場合よりも多くできる。
【００２８】
第４の発明では、湿度検出手段によって検出される湿度に基づいて制御を行うため、湿度が高い場合におけるフィルタが所定距離だけ移動するときのブラシの回転量を、湿度が低い場合よりも確実に多くできる。
【００２９】
第５の発明では、湿度検出手段を備えていなくても、湿度は温度と対応するので、温度検出手段で検出された温度に基づいてフィルタ駆動手段及びブラシ駆動手段を制御することによって、湿度に応じた制御ができる。
【００３０】
第６の発明では、湿度検出手段を備えていなくても、湿度は日付と対応するので、記憶手段に記憶された日付に基づいてフィルタ駆動手段及びブラシ駆動手段を制御することによって、湿度に応じた制御ができる。
【００３１】
第７の発明では、湿度検出手段を備えていなくても、湿度はフィルタに付着する塵埃量と対応するので、フィルタに付着した塵埃量に基づいてフィルタ駆動手段及びブラシ駆動手段を制御することによって、湿度に応じた制御ができる。
また、湿度検出手段を備える場合には、検出された湿度と塵埃量とに基づいて、フィルタが所定距離だけ移動するときのブラシの回転量を制御することで、ブラシに付着する塵埃量が多くなり過ぎるのを防止しつつ、塵埃の飛散を抑制できる。
【００３２】
第８の発明では、フィルタの移動を開始する前に、フィルタに対して加湿空気を吹き付けるため、フィルタに付着した塵埃がまとまりやすくなり、フィルタから塵埃を除去する際、および、ブラシから塵埃を除去する際に、塵埃が飛び散るのを抑制できる。
【００３３】
第９の発明では、加湿手段からケーシング内に放出された加湿空気は、風向変更フラップによってケーシングの下部の吹出口から上向きに吹き出された後、ケーシングの上部の吸込口からケーシング内に吸い込まれる。したがって、フィルタの移動を開始する前に、吸込口から吸い込まれた加湿空気をフィルタに対して吹き付けることができるため、フィルタに付着した塵埃がまとまりやすくなり、フィルタから塵埃を除去する際、および、ブラシから塵埃を除去する際に、塵埃が飛び散るのを抑制できる。
【図面の簡単な説明】
【００３４】
【図１】本発明の第１実施形態に係る空気調和機の室内機の斜視図である。
【図２】図１に示す室内機の断面図である。
【図３】フィルタユニットと掃除ユニットの斜視図である。
【図４】フィルタユニットの一部分を示す斜視図である。
【図５】第１実施形態の空気調和機の制御部の制御ブロック図である。
【図６】図２の部分拡大図であって、（ａ）はフィルタに付着した塵埃を除去している状態を示し、（ｂ）はブラシに付着した塵埃を除去している状態を示し、（ｃ）はフィルタを元の位置に戻している状態を示す。
【図７】図２の部分拡大図であって、（ａ）はフィルタに付着した塵埃を除去するとともにブラシに付着した塵埃を除去している状態を示し、（ｂ）はフィルタを元の位置に戻している状態を示す。
【図８】本発明の第３実施形態に係る空気調和機の概略構成図である。
【図９】第３実施形態の室内機の正面図である。
【図１０】図９に示す室内機の断面図である。
【図１１】第３実施形態の空気調和機の制御部の制御ブロック図である。
【図１２】本発明の他の実施形態の空気調和機のフィルタユニットの断面図である。
【発明を実施するための形態】
【００３５】
＜第１実施形態＞
以下、本発明の第１の実施形態に係る空気調和機について説明する。
本実施形態の空気調和機は、図１に示す室内機１と、図示しない室外機とで構成されており、室内の冷暖房を行う。室内機１は、全体として一方向に細長い形状を有しており、その長手方向が水平となるように室内の壁面に据え付けられるものである。
なお、以下の説明において、室内機１が取り付けられる壁から突出する方向を「前方」と称し、その反対の方向を「後方」と称する。また、図１に示す左右方向を単に「左右方向」と称する。
【００３６】
図２及び図３に示すように、室内機１は、ケーシング１０と、ケーシング１０内に収容された熱交換器２、送風機３、フィルタユニット２０、フィルタ駆動モータ（フィルタ駆動手段）３０、掃除ユニット４０、およびブラシ駆動モータ（ブラシ駆動手段）５０等の内部機器を備えている。また、本実施形態の室内機１は、室内湿度を検出する湿度センサ（湿度検出手段）４（図５参照）を備えている。
【００３７】
空調運転（暖房運転または冷房運転）時には、送風機３が駆動されて、ケーシング１０の上面に形成された吸込口１１ａから室内空気が吸い込まれる。そして、その吸い込まれた空気が熱交換器２において加熱または冷却された後、ケーシング１０の下面に形成された吹出口１１ｂから吹き出される。
【００３８】
また、室内機１は、フィルタ掃除運転を行うことができる。フィルタ掃除運転では、フィルタ駆動モータ３０とブラシ駆動モータ５０が駆動されて、フィルタユニット２０のフィルタ２１に付着した塵埃が掃除ユニット４０によって除去される。フィルタ掃除運転は、空調運転の運転時間の累積時間が所定時間に達すると自動的に行われる。また、本実施形態の空気調和機は、空調運転時にはフィルタ掃除運転を行わず、空調運転を停止させてフィルタ掃除運転を行う。
【００３９】
ケーシング１０は、後方が開口した略直方体状の筺体からなるグリル１１と、グリル１１の前面に設けられた開口を覆う前面パネル１２とを有する。グリル１１の上面には、左右方向に長い格子状の開口である吸込口１１ａが形成されており、グリル１１の下面には、左右方向に細長い矩形状の開口である吹出口１１ｂが形成されている。また、吹出口１１ｂの近傍には、水平フラップ（風向変更フラップ）１３が設けられている。水平フラップ１３は、吹出口１１ｂから吹き出される空気流の上下方向の風向きを変更すると共に、吹出口１１ｂの開閉を行う。
【００４０】
送風機３は、クロスフローファンで構成されており、その軸方向が左右方向に沿うように配置されている。送風機３は、上前方から空気を吸い込んで、下後方に吹き出すようになっている。熱交換器２は、送風機３の前方と上方とを取り囲むように配置されている。
【００４１】
フィルタユニット２０は、吸込口１１ａに近接する位置に配置されている。図３に示すように、フィルタユニット２０は、左右に並んで配置された２つのフィルタ２１と、この２つのフィルタ２１を保持する枠ユニット２２とで構成される。
【００４２】
フィルタ２１は、環状に形成された合成樹脂製の網からなり、フィルタ２１を通過する空気中に含まれる塵埃を捕捉する。フィルタ２１のうち、空調運転時に空気の流れ方向上流側に配置された部分を上流側部分２１ａとし、空気の流れ方向下流側に配置された部分を下流側部分２１ｂとする。フィルタ２１を通過する空気中に含まれる塵埃は、主に上流側部分２１ａの外周面に付着する。
【００４３】
枠ユニット２２は、環状のフィルタ２１を周方向に移動可能に保持する。枠ユニット２２によって保持されたフィルタ２１は、ケーシング１０の上面と前面に沿うように配置されている。図２に示すように、枠ユニット２２は、各フィルタ２１の内側の前端に配置されたローラ２３と、各フィルタ２１を内側から支持する内側支持部２４と、各フィルタ２１を外側から支持する外側支持部２５とを有する。また、図３に示すように、枠ユニット２２の右側面には、２つのローラ２３を回転させるための２つのフィルタ駆動モータ３０と、後述するブラシ４１および圧縮ロッド４２を回転させるためのブラシ駆動モータ５０が取り付けられている。
【００４４】
ローラ２３は、両端部が回転可能に軸支されている。図４に示すように、ローラ２３の右端部には、フィルタ駆動モータ３０によって回転駆動されるギア２３ａが取り付けられている。なお、左側のローラ２３のギア２３ａは、図示しない中間ギア部材を介して、フィルタ駆動モータ３０の駆動力が伝達されるようになっている。
【００４５】
ローラ２３の外周面には、パイル織物が貼り付けられている。パイル織物とは、表面に短い繊維（パイル糸）が起毛した織物である。ローラ２３のパイル糸が、フィルタ２１の網目に入り込むことで、フィルタ２１はローラ２３に対して滑りにくくなっている。そのため、ローラ２３をフィルタ駆動モータ３０によって回転させることで、フィルタ２１は内側支持部２４と外側支持部２５に沿って周方向に移動する。
【００４６】
掃除ユニット４０は、フィルタ２１に付着した塵埃を除去するためのものであって、図２に示すように、フィルタ２１の前端部の下方に配置されている。掃除ユニット４０は、ブラシ４１と、圧縮ロッド４２と、櫛部材４３と、ダストボックス４４とを有する。
【００４７】
ブラシ４１は、ローラ２３の下方に配置されており、両端部が回転可能に軸支されている。ブラシ４１は、２つのフィルタ２１に対応する部分にブラシ毛を有する。ブラシ毛は、フィルタ２１の前端部に接触している。フィルタ２１を移動させることで、フィルタ２１に付着した塵埃をブラシ毛によって掻き取ることができる。
【００４８】
ブラシ４１の右端部には、ブラシ駆動モータ５０によって図２中の反時計周りに回転駆動されるギア４１ａが取り付けられている。また、ブラシ４１の中央部（２つのフィルタ２１の間に対応する部分）には、圧縮ロッド４２に回転力を伝達するためのギア４１ｂが取り付けられている。ブラシ４１が回転することで、ブラシ毛に付着した塵埃が、圧縮ロッド４２の近傍に搬送される。
【００４９】
圧縮ロッド４２は、ブラシ４１の下方に配置されている。圧縮ロッド４２は、両端部が回転可能に軸支されており、その中央部には、ブラシ４１のギア４１ｂに噛み合う従動ギア４２ａが取り付けられている。圧縮ロッド４２は、ブラシ４１と反対方向（図２中、時計周り）に回転する。圧縮ロッド４２とブラシ４１が回転することで、ブラシ４１に付着した塵埃は、櫛部材４３と圧縮ロッド４２と間に巻き込まれて圧縮される。
【００５０】
櫛部材４３は、圧縮ロッド４２の後方に配置されており、その先端がブラシ４１に接触している。ブラシ４１と圧縮ロッド４２と間で圧縮されてブラシ４１に付着したままの塵埃は、櫛部材４３によってブラシ４１から離脱される。ダストボックス４４は、ブラシ４１から離脱した塵埃を収容する。
【００５１】
次に、空気調和機の制御部６０について図５を参照しつつ説明する。
制御部６０は、空調運転とフィルタ掃除運転を制御する。図５に示すように、制御部６０は、カウント部６１と、フィルタ掃除運転の運転モードを決定する掃除モード決定部６２と、制御本体部６３とを有する。本実施形態の空気調和機は、フィルタ掃除運転の運転モードとして、低湿度モードと高湿度モードとを有する。
【００５２】
カウント部６１は、前回のフィルタ掃除運転を終了してからの空調運転の運転時間をカウントする。空調運転の累積運転時間が、所定の時間（例えば６時間）に到達すると、カウント部６１はカウントを０に戻す（初期化する）と共に、掃除モード決定部６２に掃除開始信号を送信する。
【００５３】
掃除モード決定部６２は、湿度センサ４によって検出される室内湿度（以下、単に室内湿度という）に基づいて、フィルタ掃除運転の運転モードを決定する。掃除モード決定部６２は、カウント部６１から掃除開始信号を受けたときの室内湿度が、所定湿度Ａ（例えば６０％）以上の場合に、高湿度モードに決定し、所定湿度Ａ未満の場合に、低湿度モードに決定する。
【００５４】
制御本体部６３は、空調運転時に、送風機３および水平フラップ１３等の制御を行うと共に、フィルタ掃除運転時に、掃除モード決定部６２によって決定された運転モードに応じて、フィルタ駆動モータ３０およびブラシ駆動モータ５０の制御を行う。
【００５５】
フィルタ掃除運転が低湿度モードの場合には、制御本体部６３は、まず、図６（ａ）に示すように、ブラシ駆動モータ５０を停止させた状態で、フィルタ駆動モータ３０を駆動して、ローラ２３を回転させて、フィルタ２１を周長のほぼ１／４移動させる。これにより、フィルタ２１の上流側部分２１ａの前端側半分に付着した塵埃がブラシ４１に掻き取られる。
【００５６】
次に、図６（ｂ）に示すように、フィルタ駆動モータ３０を停止させた状態で、ブラシ駆動モータ５０を駆動して、ブラシ４１と圧縮ロッド４２を回転させる。これにより、ブラシ４１に付着した塵埃が圧縮されてダストボックス４４に収容される。
【００５７】
その後、再び図６（ａ）に示すようにフィルタ駆動モータ３０のみを駆動して、フィルタ２１を周長のほぼ１／４移動させた後、図６（ｂ）に示すように、ブラシ駆動モータ５０のみを駆動する。これにより、上流側部分２１ａの後端側半分に付着した塵埃が除去されて、ダストボックス４４に収容される。
【００５８】
次に、図６（ｃ）に示すように、フィルタ駆動モータ３０を逆方向に駆動するとともに、ブラシ駆動モータ５０を駆動して、フィルタ２１を元の位置（フィルタ掃除運転を開始する前の位置）に戻す。このとき、ブラシ４１を回転させることで、スムーズにフィルタ２１を移動させることができる。
【００５９】
フィルタ掃除運転が高湿度モードの場合には、制御本体部６３は、図７（ａ）に示すように、フィルタ駆動モータ３０を駆動して、フィルタ２１を移動させると共に、ブラシ駆動モータ５０を駆動して、ブラシ４１と圧縮ロッド４２を回転させる。これにより、フィルタ２１に付着した塵埃がブラシ４１によって除去されるとともに、ブラシ４１に付着した塵埃が圧縮されてダストボックス４４に収容される。
【００６０】
フィルタ２１の周長のほぼ１／２移動させ、フィルタ２１の上流側部分２１ａをブラシ４１に接触させた後、図７（ｂ）に示すように、フィルタ駆動モータ３０を逆方向に駆動するとともに、ブラシ駆動モータ５０を駆動して、フィルタ２１を元の位置に戻す。
【００６１】
このように、本実施形態の制御本体部６３は、低湿度モードの場合には、ブラシ４１が停止した状態でフィルタ２１を移動させて、高湿度モードの場合には、ブラシ４１を回転させつつフィルタ２１を移動させる。これにより、フィルタ２１が所定距離だけ移動するときのブラシ４１の回転量が、高湿度モードの場合に低湿度モードの場合より多くなる。
【００６２】
（第１実施形態の空気調和機の特徴）
本実施形態の空気調和機には、以下のような特徴がある。
【００６３】
この空気調和機では、室内湿度が低い場合には、フィルタ２１が所定距離だけ移動するときのブラシ４１の回転量を少なくするため、ブラシ４１に付着する塵埃量が多くなって、塵埃がまとまりやすくなる。そのため、ブラシ４１に付着した塵埃を除去する際に、塵埃が飛び散るのを抑制できる。したがって、塵埃の回収率を向上させることができる。
また、室内湿度が高い場合、塵埃はフィルタ２１に付着しやすいため、フィルタ２１に付着する塵埃量が多くなる場合があるが、本実施形態では、室内湿度が高い場合に、フィルタ２１が所定距離だけ移動するときのブラシ４１の回転量を多くしているため、たとえフィルタ２１に付着する塵埃量が多くても、ブラシ４１に付着する塵埃量を少なくできる。そのため、ブラシ４１に付着する塵埃量が多過ぎてフィルタ２１の塵埃を除去できなくなるのを防止できる。また、室内湿度が高い場合には、塵埃の水分含有量が多いため、たとえブラシ４１に付着する塵埃量が少なくても、ブラシ４１から塵埃を除去する際に塵埃が飛散しにくい。
【００６４】
また、この空気調和機では、室内湿度が高い場合に、ブラシ４１を回転させつつフィルタ２１を移動させているため、ブラシ４１に付着する塵埃量が多過ぎてフィルタ２１から塵埃を除去できなくなるのを確実に防止できる。
【００６５】
また、この空気調和機では、湿度センサ４によって検出される室内湿度に基づいて制御を行うため、室内湿度が高い場合におけるフィルタ２１が所定距離だけ移動するときのブラシ４１の回転量を、室内湿度が低い場合よりも確実に多くできる。
【００６６】
＜第２実施形態＞
次に、本発明の第２の実施形態に係る空気調和機について説明する。但し、前記第１実施形態と同様の構成を有するものについては、同じ符号を用いて適宜その説明を省略する。
本実施形態の空気調和機は、制御本体部によるフィルタ掃除運転の制御が第１実施形態と異なっており、その他の構成は第１実施形態と同じである。
【００６７】
フィルタ掃除運転が低湿度モードの場合には、制御本体部は、第１実施形態と同様に、フィルタ駆動モータ３０とブラシ駆動モータ５０を制御する。
【００６８】
フィルタ掃除運転が高湿度モードの場合には、制御本体部は、ブラシ駆動モータ５０を停止させた状態で、フィルタ駆動モータ３０を駆動して、フィルタ２１を周長のほぼ１／８移動させる（図６（ａ）参照）。次に、フィルタ駆動モータ３０を停止させた状態で、ブラシ駆動モータ５０を駆動して、ブラシ４１と圧縮ロッド４２を回転させる（図６（ｂ）参照）。その後、同様のフィルタ２１の移動とブラシ４１の回転を、交互に３回ずつ繰り返して、フィルタ２１の上流側部分２１ａをブラシ４１と接触させた後、ブラシ駆動モータ５０を駆動しつつ、フィルタ駆動モータ３０を逆方向に移動させて、フィルタ２１を元の位置に戻す（図６（ｃ）参照）。
【００６９】
このように、本実施形態の空気調和機は、フィルタ２１が複数の領域ごとに間欠的に移動すると共に、フィルタ２１の停止時にブラシ４１が回転して領域ごとに塵埃が除去されるようになっており、この領域の移動方向長さが、高湿度モードの場合に低湿度モードの場合より短くなっている。したがって、フィルタ２１が所定距離だけ移動するときのブラシ４１の回転量は、高湿度モードの場合に低湿度モードの場合より多くなる。
【００７０】
（第２実施形態の空気調和機の特徴）
本実施形態の空気調和機には、第１実施形態と異なる特徴として、以下のような特徴がある。
【００７１】
この空気調和機では、フィルタ２１の停止時にブラシ４１を回転させるため、ブラシ４１の回転とフィルタ２１の移動を同時に行う場合に比べて、フィルタ２１とブラシ４１との接触による塵埃の飛散を抑制できる。
【００７２】
＜第３実施形態＞
次に、本発明の第３の実施形態に係る空気調和機について説明する。但し、前記第１実施形態と同様の構成を有するものについては、同じ符号を用いて適宜その説明を省略する。
本実施形態の空気調和機は、冷房運転と暖房運転を行うだけでなく、加湿運転を行うことができる。図８に示すように、空気調和機の室外機１００は、ヒートポンプユニット（図示省略）と、室内機１０１に供給される加湿空気を生成するための加湿ユニット１０３とを有する。加湿ユニット１０３は、加湿ホース１０２によって室内機１０１に接続されている。加湿ユニット１０３は、加湿モータ１３２によって回転駆動される加湿ロータ１３１と、吸湿ファン１３３と、ヒーター１３４と、加湿ファン１３５とを有する。
【００７３】
加湿ロータ１３１は、例えばゼオライト等の吸着材で構成されており、接触した空気中の水分を吸着するとともに、加熱されることで吸着した水分を空気中に放出する性質を有する。吸湿ファン１３３は、室外から取り込まれた空気を加湿ロータ１３１に送る。吸湿ファン１３３から送られた空気が加湿ロータ１３１を通過する際に、この空気中の水分が加湿ロータ１３１に吸着される。ヒーター１３４は、室外から取り込まれた空気を加熱する。加湿ファン１３５は、ヒーター１３４によって加熱された空気を加湿ロータ１３１に送る。加熱された空気が加湿ファン１３５を通過することによって、加湿ロータ１３１に保持された水分が放出されるため、加湿ロータ１３１を通過した空気は加湿される。加湿された空気は、加湿ホース１０２を通って室内機１０１に送られる。
【００７４】
図９および図１０に示すように、室内機１０１は、第１実施形態と同様の構成部品（例えば送風機３や掃除ユニット４０等）に加えて、ケーシング１０内に収容された加湿ダクト１０４および拡散ダクト１０５を有する。加湿ダクト１０４、拡散ダクト１０５、加湿ユニット１０３、および加湿ホース１０２が、本発明の加湿手段を構成する。
【００７５】
加湿ダクト１０４は、室内機１０１の左端部に配置されている。加湿ダクト１０４は、加湿ホース１０２に接続されており、室外機１００の加湿ユニット１０３で生成された加湿空気が加湿ホース１０２を介して供給される。
【００７６】
拡散ダクト１０５は、加湿ダクト１０４に接続されており、左右方向に延在している。拡散ダクト１０５は、左右方向に関してフィルタユニット２０とほぼ同じ範囲に配置されている。拡散ダクト１０５は、前面パネル１２とフィルタユニット２０との間に配置されている。拡散ダクト１０５の後壁には、複数の加湿吹出口１０５ａが左右方向に並んで形成されている。加湿ダクト１０４から拡散ダクト１０５内に流入した加湿空気は、加湿吹出口１０５ａから吹き出されて、フィルタ２１および送風機３を通過した後、吹出口１１ｂから室内に吹き出される。
【００７７】
図１１に示すように、空気調和機の制御部１６０は、カウント部６１と、掃除モード決定部６２と、制御本体部１６３とを有する。制御本体部１６３は、室内機１０１の送風機３、水平フラップ１３、フィルタ駆動モータ３０、ブラシ駆動モータ５０、加湿ユニット１０３の加湿モータ１３２、吸湿ファン１３３、加湿ファン１３５、ヒートポンプユニット（図示省略）の圧縮機等の制御を行う。
【００７８】
フィルタ掃除運転が低湿度モードの場合には、制御本体部１６３は、フィルタ掃除運転を開始する前に、加湿モータ１３２、加湿ファン１３５、吸湿ファン１３３、および送風機３を駆動する。これにより、加湿ユニット１０３から供給された加湿空気が、拡散ダクト１０５の加湿吹出口１０５ａから吹き出されて、フィルタ２１に吹き付けられる。また、このとき、制御本体部１６３は、水平フラップ１３を、空調運転時の可動範囲の上端近くに配置する。つまり、吹出口１１ｂから吹き出される空気流の吹出方向が上向きとなるように水平フラップ１３を配置する。そのため、フィルタ２１を通過した加湿空気は、送風機３を通過した後、吹出口１１ｂから上向きに吹き出される。吹き出された加湿空気は、前面パネル１２に沿って上昇した後、吸込口１１ａからケーシング１０内に吸い込まれて、フィルタ２１に吹き付けられる。
【００７９】
制御本体部１６３は、フィルタ２１への加湿空気の吹き付けを所定時間行った後、第１実施形態または第２実施形態と同様に、フィルタ駆動モータ３０とブラシ駆動モータ５０を制御して、フィルタ掃除運転を行う。
【００８０】
フィルタ掃除運転が高湿度モードの場合には、制御本体部１６３は、フィルタ２１への加湿空気の吹付けを行わずに、第１実施形態または第２実施形態と同様に、フィルタ駆動モータ３０とブラシ駆動モータ５０を制御して、フィルタ掃除運転を行う。
【００８１】
（第３実施形態の空気調和機の特徴）
本実施形態の空気調和機には、第１実施形態と異なる特徴として、以下のような特徴がある。
【００８２】
この空気調和機では、低湿度モード時、フィルタ２１の移動を開始する前に、拡散ダクト１０５から吹き出された加湿空気をフィルタ２１に対して吹き付けるため、フィルタ２１に付着した塵埃がまとまりやすくなり、フィルタ２１から塵埃を除去する際、および、ブラシ４１から塵埃を除去する際に、塵埃が飛び散るのを抑制できる。
【００８３】
さらに、この空気調和機では、拡散ダクト１０５から吹き出された加湿空気は、水平フラップ１３によってケーシング１０の下部の吹出口１１ｂから上向きに吹き出された後、ケーシング１０の上部の吸込口１１ａからケーシング１０内に吸い込まれる。したがって、フィルタ２１の移動を開始する前に、吸込口１１ａに吸い込まれた加湿空気をフィルタ２１に対して吹き付けることができるため、フィルタ２１に付着した塵埃がよりまとまりやすくなり、塵埃が飛び散るのをより抑制できる。
【００８４】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。なお、後述する変更形態は、適宜組み合わせて実施することも可能である。
【００８５】
上記第３実施形態では、低湿度モードの場合にのみ、フィルタ掃除運転を開始する前に加湿空気をフィルタ２１に吹き付けているが、高湿度モードの場合にも、フィルタ掃除運転を開始する前に加湿空気をフィルタ２１に吹き付けてもよい。
【００８６】
上記第３実施形態では、フィルタ掃除運転を開始する前にのみ、加湿空気をフィルタ２１に吹き付けているが、フィルタ掃除運転中にも、加湿空気をフィルタ２１に吹き付けてもよい。
【００８７】
上記第３実施形態では、拡散ダクト１０５が左右方向に関してフィルタ２１とほぼ同じ範囲に配置され、加湿ユニット１０３から室内機１０１に供給された加湿空気は、この拡散ダクト１０５からケーシング１０内に吹き出されているが、拡散ダクト１０５を設けずに、加湿ダクト１０４から直接ケーシング１０内に加湿空気を吹き出してもよい。この場合であっても、第１実施形態と同様に、吹出口１１ｂから室内に吹き出された加湿空気が、吸込口１１ａからケーシング１０内に吸い込まれて、フィルタ２１に吹き付けられるため、塵埃の飛散を抑制できる。
【００８８】
上記第３実施形態では、加湿ユニット１０３から供給された加湿空気を吹き出すための拡散ダクト１０５が、フィルタ２１の上流側に配置されているが、加湿ユニット１０３から供給された加湿空気を吹き出すための装置が、フィルタ２１の下流側に配置されていてもよい。この場合であっても、第１実施形態と同様に、吹出口１１ｂから室内に吹き出された加湿空気が、吸込口１１ａからケーシング１０内に吸い込まれて、フィルタ２１に吹き付けられるため、塵埃の飛散を抑制できる。
【００８９】
上記第３実施形態では、拡散ダクト１０５から加湿空気を吹き出す際、吹出口１１ｂから室内に吹き出された加湿空気を吸込口１１ａから吸い込んでフィルタ２１に吹き付けるために、送風機３を駆動しているが、送風機３は駆動しなくてもよい。この場合、水平フラップ１３は、吹出口１１ｂを閉じるように配置してもよい。この場合であっても、第１実施形態と同様に、拡散ダクト１０５から吹き出された加湿空気がフィルタ２１に吹き付けられるため、塵埃の飛散を抑制できる。また、この構成によると、消費電力を低減できる。
【００９０】
上記第１および第２実施形態の低湿度モードでは、フィルタ２１を周長の１／４ずつ２回移動させ、第２実施形態の高湿度モードでは、フィルタ２１を周長の１／８ずつ２回移動させているが、１回の移動による移動長さと移動回数は、フィルタ２１の上流側部分２１ａの全域を掃除できるものであれば、上述のものに限定されない。但し、第２実施形態を変更する場合、低湿度モード時の１回の移動長さは、高湿度モード時の１回の移動長さよりも長くする。
【００９１】
上記第１〜第３実施形態では、フィルタ掃除運転の運転モードは、低湿度モードと高湿度モードの２種類であるが、室内湿度に基づいた３種類以上のモードであってもよい。湿度が低いモードほど、フィルタ２１が所定距離だけ移動するときのブラシ４１の回転量を少なくする。
【００９２】
上記第１〜第３実施形態では、湿度センサ４で検出される湿度のみに基づいて、フィルタ掃除運転の運転モードを決定しているが、室内機がフィルタ２１に付着した塵埃量を検出する塵埃量検出手段を備えており、検出されたフィルタ２１の塵埃量と室内湿度とに基づいて、運転モードを決定してもよい。フィルタ２１が所定距離だけ移動するときのブラシ４１の回転量は、湿度が低いモードほど少なくなるようにしつつ、塵埃量が高いモードほど多くする。この構成によると、ブラシ４１に付着する塵埃量が多くなり過ぎるのを防止しつつ、塵埃の飛散を抑制できる。
【００９３】
上記第１〜第３実施形態では、フィルタ２１が所定距離だけ移動するときのブラシ４１の回転量が、所定湿度Ａ以上の場合（高湿度モード）において所定湿度Ａ未満の場合（低湿度モード）よりも多くなるように制御するために、室内湿度を検出する湿度センサ４を備えているが、上述の制御ができれば、必ずしも湿度センサ４を備えていなくてよい。
例えば、外気温度を検出する温度センサを備えており、検出された外気温度に基づいて運転モードを決定する構成でもよい。湿度センサ４を備えていなくても、湿度は温度と対応するので、温度センサで検出された温度に対応する湿度に基づいて制御することによって、湿度に応じた制御ができる。
また、例えば、現在の日付を記憶する記憶部を備えており、記憶された日付に基づいて運転モードを決定する構成でもよい。湿度センサ４を備えていなくても、湿度は日付と対応するので、記憶部に記憶された日付に基づいて制御することによって、湿度に応じた制御ができる。
また、例えば、フィルタ２１に付着した塵埃量を検出する塵埃量検出手段を備えており、検出された塵埃量に基づいて運転モードを決定する構成でもよい。湿度センサ４を備えていなくても、湿度はフィルタ２１に付着する塵埃量と対応するので、フィルタ２１に付着した塵埃量に基づいて制御することによって、湿度に応じた制御ができる。
【００９４】
上記実施形態では、フィルタ掃除運転の掃除周期は、室内湿度に関わらず一定であるが、室内湿度に基づいて変更されてもよい。
例えば、室内湿度が所定湿度以上の場合の掃除周期を、室内湿度が所定湿度未満の場合の掃除周期よりも短くしてもよい。湿度が高い場合には、フィルタ２１に塵埃が付着しやすくなるため、掃除周期を短くすることで、フィルタ２１に塵埃が堆積して圧力損失が大きくなるのを防止できる。また、湿度が低い場合には、掃除周期を長くすることで、フィルタ２１にある程度の塵埃を堆積させることができるため、塵埃が小さくても塵埃がフィルタ２１を通り抜けるのを抑制できる。したがって、集塵効率の低下を防止できる。
【００９５】
上記実施形態では、空調運転時にはフィルタ掃除運転を行わず、空調運転を停止させてフィルタ掃除運転を行っているが、空調運転と同時にフィルタ掃除運転を行ってもよい。
【００９６】
上記実施形態では、フィルタ２１は環状であるが、例えば図１２に示すように、板状のフィルタ２２１でもよい。図１２では、ローラ２３に代えて、ピニオン２２３が配置されており、フィルタ２２１は、ピニオン２２３と噛み合う歯（図示省略）が設けられた矩形状のフレーム（図示省略）に保持されている。空調運転時には、フィルタ２２１は、枠ユニット２４０の通常ガイド経路２４０ａに配置されている。フィルタ掃除運転時には、フィルタ２２１は、ピニオン２２３の回転によって退避ガイド経路２４０ｂに移動するとともに、フィルタ２２１に付着した塵埃がブラシ４１によって除去される。
【００９７】
掃除ユニット４０の構成は、フィルタ２１を移動させる手段と、フィルタ２１に付着した塵埃を除去するブラシ４１と、ブラシ４１を回転させる手段とを有するものであれば、上記実施形態に限定されない。
【００９８】
上記実施形態では、壁据付型の室内機に本発明を適用した一例を説明したが、本発明は、床置型の室内機に適用してもよい。
【産業上の利用可能性】
【００９９】
本発明を利用すれば、塵埃の回収率を向上させることができる。
【符号の説明】
【０１００】
１、１０１  空気調和機の室内機
３  送風機
４  湿度センサ（湿度検出手段）
１３  水平フラップ（風向変更フラップ）
２０  フィルタユニット
２１  フィルタ
２３  ローラ
３０  フィルタ駆動モータ（フィルタ駆動手段）
４０  掃除ユニット
４１  ブラシ
５０  ブラシ駆動モータ（ブラシ駆動手段）
１００  空気調和機の室外機
１０３  加湿ユニット
１０４  加湿ダクト
１０５  拡散ダクト
【図１】
2013137129.tif 000003
【図２】
2013137129.tif 000004
【図３】
2013137129.tif 000005
【図４】
2013137129.tif 000006
【図５】
2013137129.tif 000007
【図６】
2013137129.tif 000008
【図７】
2013137129.tif 000009
【図８】
2013137129.tif 000010
【図９】
2013137129.tif 000011
【図１０】
2013137129.tif 000012
【図１１】
2013137129.tif 000013
【図１２】
2013137129.tif 000014